(57)【特許請求の範囲】
【請求項１】
電子制御装置であって、
一方向に開口部を形成する筐体と、
前記一方向において、通信ケーブルに備わる第１コネクタと物理的に接続し、接続状態で前記第１コネクタの周囲を包囲する第２コネクタと、
前記筐体に収容され、他の電子部品が実装された電子基板と、
一端が前記電子基板に固定されるとともに、他端が前記電子基板の面と平行になって前記第２コネクタの内部に突出して、前記接続状態で前記第１コネクタのホールと嵌合するコネクタピンと、
前記筐体の開口部を塞ぐ可撓性を有する蓋体と、
を備え、
前記第２コネクタは、
前記コネクタピンの前記一端が前記電子基板に固定されることで、前記電子基板へ固定され、前記第１コネクタと接続する接続口が前記電子基板面と平行になって外側を向き、
前記蓋体は、
前記第２コネクタを前記一方向に露出する露出口が形成され、
前記露出口の周縁に設けられ、前記露出口から露出する前記第２コネクタの外壁のうち、前記第２コネクタが前記電子基板へ固定される方向の特定外壁以外の周囲を覆う覆部を備えることを特徴とする電子制御装置。
【請求項２】
請求項１に記載の電子制御装置において、
前記第２コネクタの接続口は略矩形であり、
前記覆部は、前記第２コネクタの接続口の前記特定外壁を含む一辺と直交する左右の辺と接する第１領域と、前記一辺と対向する辺と接する第２領域とを備え、
前記第１領域は前記第２領域よりも広く、かつ、それぞれの領域は連続していることを特徴とする電子制御装置。
【請求項３】
請求項１から請求項２の何れかに記載の電子制御装置において、
前記筐体は、更に、前記開口部の対向する２つの側面のぞれぞれに引掛部、
を備え、
前記蓋体は、更に、前記引掛部と係合する耳部、
を備えたことを特徴とする電子制御装置。
【発明の詳細な説明】
【技術分野】
【０００１】
本発明は、電子制御装置の構造の技術に関する。
【背景技術】
【０００２】
例えば、自動車などの車両においては、エンジンやエアコン等の被制御対象を制御するＥＣＵ（Electronic Control Unit）と呼ばれる電子制御装置が搭載されている。このような電子制御装置は、制御信号や電力を伝達させる通信ケーブルによって被制御対象と接続されている。
【０００３】
具体的に図１に基づいて説明する。図１は、電子制御装置１Ｘ、及び、通信ケーブル６Ｘを示している。電子制御装置１Ｘ、及び、通信ケーブル６Ｘには、夫々、コネクタ４Ｘ、５Ｘが備わっている。電子制御装置１Ｘが備えるコネクタ４Ｘへは通信ケーブル６Ｘの一端に備わるコネクタ５Ｘが接続され、通信ケーブル６Ｘの他端が被制御対象と接続されるようになっている。
【０００４】
以降、説明するにあたり、図中においては三次元の直交座標軸（ＸＹＺ）又は二次元の座標軸（ＸＹ）、（ＹＺ）を付し、適宜、この座標軸を用いて方向を示すこととする。これらの座標軸は電子制御装置１Ｘに対して相対固定される。説明の便宜上、Ｘ軸方向が奥行方向、Ｙ軸方向が左右方向、Ｚ軸方向が上下方向であるとする。また、通信ケーブル６Ｘが備えるコネクタ５Ｘを第１コネクタ５Ｘとし、電子制御装置１Ｘが備えるコネクタ４Ｘを第２コネクタ４Ｘとする。
【０００５】
電子制御装置１Ｘは、筐体２Ｘ、蓋体３Ｘ、及び、電子基板７Ｘから構成される。
【０００６】
筐体２Ｘは、直方体の内部に空間を有する箱型であって、箱の１面である最も面積の小さい面に開口部１５Ｘが形成されている。また、筐体２Ｘは、開口部１５Ｘから電子基板７Ｘを挿入して納める。筐体２Ｘの大きさは、電子基板７Ｘを略密接に覆う程度の大きさになっている。更に、筐体２Ｘは、開口部１５Ｘ付近の側面であって対向する側面夫々に、筐体２Ｘを蓋体３Ｘにより塞いだ際に、固定するための引掛部１２Ｘ、１３Ｘを備える。
【０００７】
蓋体３Ｘは、筐体２Ｘが形成する開口部１５Ｘを塞ぐ大きさの樹脂により形成される。蓋体３Ｘは、筐体２Ｘを塞いだ状態で、電子基板７Ｘが備える第２コネクタ４Ｘを外側へ露出するように露出口１４Ｘが形成される。更に、蓋体３Ｘは、筐体２Ｘを塞いだ状態で、筐体２Ｘの引掛部１２Ｘ、１３Ｘへ係合する耳部１０Ｘ、１１Ｘを引掛部１２Ｘ、１３Ｘに対応する位置に備える。
【０００８】
電子基板７Ｘは、略矩形の板状体であり、第２コネクタ４Ｘ、及び、他の電子部品を両面に実装する。
【０００９】
第２コネクタ４Ｘは、複数のピンを備えたピンインサートと称されるコネクタであり、直方体の内部に空間を有する箱型であって、その箱の−Ｘ側の１面が開口している。第２コネクタ４Ｘは、複数のピンを備え、複数のピンは一端が電子基板７Ｘの端部に固定接続されるとともに、他端が第２コネクタ４Ｘの１面が開口している方向（−Ｘ側）へ向けて突出している。
【００１０】
通信ケーブル６Ｘは、一端に第１コネクタ５Ｘを備えている。第１コネクタ５Ｘは、ソケットインサートと称されるコネクタであり、直方体を有する箱型であって、第２コネクタ４Ｘの空間に密接な状態で納まる大きさである。第１コネクタ５Ｘは、第２コネクタ４Ｘに納まった状態で、第２コネクタ４Ｘの複数のピンと嵌合する複数のホールを備えている。
【００１１】
図２は、筐体２Ｘが電子基板７Ｘを納めた状態で、蓋体３Ｘによって開口部１５Ｘを塞ぐとともに、引掛部１２Ｘ、１３Ｘへ蓋体３Ｘの耳部１０Ｘ、１１Ｘを引掛けて固定した状態の電子制御装置１Ｘを示している。このように塞いだ状態にすると、電子基板７Ｘに実装された第２コネクタ４Ｘが、蓋体３Ｘの露出口１４Ｘから露出するので、蓋体３Ｘを筐体２Ｘへ装着した状態で、通信ケーブル６Ｘに備わった第１コネクタ５Ｘを電子基板７Ｘに実装される第２コネクタ４Ｘへ接続することができる。
【００１２】
図３は、図２の電子制御装置１ＸにおけるＸＺ平面に沿ったIII−III位置での断面図である。この断面図によれば、電子制御装置１Ｘは、複数のピン８Ｘを備えた第２コネクタ４Ｘと他の電子部品９Ｘとを実装した電子基板７Ｘを筐体２Ｘの内部に略密着状態に収納しつつ、開口部１５Ｘを蓋体３Ｘによって塞いだ状態で、蓋体３Ｘの露出口１４Ｘから第２コネクタ４Ｘが露出していることがわかる。
【００１３】
図４は、図２の通信ケーブル６Ｘ及びこれに備わる第１コネクタ５ＸにおけるＸＺ平面に沿ったＩＶ−ＩＶ位置での断面図である。この断面図によれば、第１コネクタ５Ｘは、直方体を有する箱型であって、第２コネクタ４Ｘに納まる際に、第２コネクタ４Ｘの複数のピン８Ｘと嵌合する複数のホール１６Ｘが形成されている。
【００１４】
図５は、図２の蓋体３Ｘの＋Ｚ側からみた上面図である。この上面図によれば、蓋体３Ｘは、筐体２Ｘの引掛部１２Ｘ、１３Ｘへ係合する耳部１０Ｘ、１１Ｘが蓋体３Ｘの横側（＋Ｙ側及び−Ｙ側）に備わっていることがわかる。また、蓋体３Ｘは、筐体２Ｘへ装着した際の外側（−Ｘ側）が平面になっていることがわかる。
【００１５】
図６は、図２の電子制御装置１Ｘの−Ｘ側からみた正面図である。この正面図によれば、蓋体３Ｘにおける、開口部１５Ｘの上底と露出口１４の上底との間の領域Ａは、開口部１５Ｘの下底と露出口１４の下底との間の領域Ｂよりも狭いことがわかる。
【００１６】
電子基板７Ｘには、種々の部品が両面に実装され、更に、最も実装面からの高さが高い第２コネクタ４Ｘが片面に実装されている。図３に示すように、電子制御装置１Ｘの筐体２Ｘは、この電子基板７Ｘを、適切に保護しつつ全体として小型化するために、略密接に覆った状態で蓋体３Ｘにより塞がれる。このため、図６に示すように、露出口１４Ｘ及びコネクタ４Ｘの、蓋体３Ｘにおける外側平面上の位置は、上下中央よりも上側にズレた位置となる。
【００１７】
このような、電子制御装置の構造に関する技術は、例えば、特許文献１に開示されている。
【００１８】
しかし、上述した構造を採用する電子制御装置１Ｘにおいては、通信ケーブル６Ｘが備える第１コネクタ５Ｘと、制御装置が備える第２コネクタ４Ｘとが接続された状態で、第１コネクタ５Ｘが人の手によって引き抜かれる際に、電子基板７Ｘに実装される部品が損傷してしまう虞がある。
【００１９】
つまり、次のような虞がある。図７に示すように、通信ケーブル６Ｘが備える第１コネクタ５Ｘと、制御装置が備える第２コネクタ４Ｘとが接続された状態の電子制御装置１Ｘにおいて、人が第１コネクタ５Ｘを掴んで、正面方向にまっすぐに（図７の−Ｘ側へ並行に）引き抜けば、その虞はないが、第１コネクタと第２コネクタとの接続状態が強固であることから簡単には引き抜くことができないために、第１コネクタ５Ｘを上下方向（図７の＋Ｚ側及び−Ｚ側）に揺さぶりながら正面方向（−Ｘ側）に（乱暴に）引き抜こうとしてしまう。
【００２０】
そうすると、第２コネクタ４Ｘは、露出口１４Ｘから露出しているため、第２コネクタ４Ｘの固定具合は弱くなっており大きく揺さぶられる。第２コネクタ４Ｘに備わる複数のピン８Ｘの他端は、第１コネクタ５Ｘの複数のホール１６Ｘと嵌合し、更に、第１コネクタ５Ｘの周囲が第２コネクタ４Ｘにより包囲されているため、第２コネクタが大きく揺さぶられると、第１コネクタ５Ｘを揺さぶる力が、複数のピン８Ｘへも伝わってしまう。その結果、電子基板７Ｘに固定接続される複数のピン８Ｘの他端へ力Ｃが加わり、その接続点が損傷してしまう虞がある。更に、電子基板７Ｘの接続点付近にも電子基板７Ｘを変形させる力Ｄ（応力）が加わり、電子基板７Ｘやその付近に実装されている他の電子部品９Ｘが損傷してしまう虞がある。
【００２１】
そのような問題を回避する第１案として、第２コネクタ４Ｘを、電子基板７Ｘの内部へ実装するとともに、筐体２Ｘの内部へ収納することによって、筐体２Ｘを蓋体３Ｘにより塞いだ状態では、蓋体３Ｘの露出口１４Ｘからその接続面のみを露出させる。これにより、第２コネクタ４Ｘを筐体内部で固定させることができ、乱暴に引き抜かれてもその揺さぶりを防いで、第２コネクタ４Ｘ及び他の電子部品９Ｘへの損傷を防ぐことが考えられる。
【００２２】
また、第２案として、電子基板７Ｘにおいて、他の電子部品９Ｘを、第２コネクタ４Ｘに備わる複数のピン８Ｘの他端が実装される付近から遠ざけて実装することによって、応力による他の電子部品９Ｘへの損傷を防ぐことが考えられる。
【００２３】
また、第３案として、露出口１４Ｘと、露出口１４Ｘから露出している第２コネクタ４Ｘとの間のスキを無くすように詰めて、それらを強く固定させることによって、乱暴に引き抜かれても、第２コネクタ４Ｘの揺さぶりを防いで、第２コネクタ４Ｘ及び他の電子部品９Ｘへの損傷を防ぐことが考えられる。
【先行技術文献】
【特許文献】
【００２４】
【特許文献１】実用新案登録第２５１９１５５号公報
【発明の概要】
【発明が解決しようとする課題】
【００２５】
しかし、第１案では、第２コネクタ４Ｘを電子基板７Ｘの内部へ実装するため、他の電子部品９Ｘの実装可能面積が小さくなってしまい、電子基板７Ｘを大きくせざるを得ず、電子制御装置１Ｘが大きくなると、コストが増加し、電子制御装置１Ｘが大型化、重量化してしまう。また、第２案では、他の電子部品９Ｘを遠ざけて実装すると、電子基板７Ｘを大きくせざるを得ず、電子制御装置１Ｘが大きくなると、コストが増加、電子制御装置１Ｘが大型化、重量化してしまう。また、第３案では、そのスキを詰めると第２コネクタ４が筐体２Ｘと強く固定されるため、第２コネクタ４による異音が発生しやすくなってしまう。
【００２６】
本発明は、上記課題に鑑みてなされたものであり、電子制御装置の大型化や重量化を伴うことなく、共振による異音を防いで、電子制御装置の第２コネクタに接続された第１コネクタを引き抜く際に、電子制御装置が備える電子基板に実装されている第２コネクタ、及び、他の電子部品の損傷を防ぐことができる電子制御装置を提供することを目的とする。
【課題を解決するための手段】
【００２７】
上記課題を解決するため、請求項１の発明は、電子制御装置であって、一方向に開口部を形成する筐体と、前記一方向において、通信ケーブルに備わる第１コネクタと物理的に接続し、接続状態で前記第１コネクタの周囲を包囲する第２コネクタと、前記筐体に収容され、他の電子部品が実装された電子基板と、一端が前記電子基板に固定されるとともに、他端が前記電子基板の面と平行になって前記第２コネクタの内部に突出し、前記接続状態で前記第１コネクタのホールと嵌合するコネクタピンと、前記筐体の開口部を塞ぐ可撓性を有する蓋体と、を備え、前記第２コネクタは、前記コネクタピンの前記一端が前記電子基板に固定されることで、前記電子基板へ固定され、前記第１コネクタと接続する接続口が前記電子基板の面と平行になって外側を向き、前記蓋体は、前記第２コネクタを前記一方向に露出する露出口が形成され、前記露出口の周縁に設けられ、前記露出口から露出する前記第２コネクタの外壁のうち、前記第２コネクタが前記電子基板へ固定される方向の特定外壁以外の周囲を覆う覆部を備えている。
【００２８】
上記課題を解決するため、請求項２の発明は、請求項１に記載の電子制御装置において、前記第２コネクタの接続口は略矩形であり、前記覆部は、前記第２コネクタの接続口の前記特定外壁を含む一辺と直交する左右の辺と接する第１領域と、前記一辺と対向する辺と接する第２領域とを備え、前記第１領域は前記第２領域よりも広く、かつ、それぞれの領域は連続している。
【００２９】
上記課題を解決するため、請求項３の発明は、請求項１から請求項２の何れかに記載の電子制御装置において、前記筐体は、更に、前記開口部の対向する２つの側面のぞれぞれに引掛部、を備え、前記蓋体は、更に、前記引掛部と係合する耳部、を備えている。
【発明の効果】
【００３１】
請求項１ないし４の発明によれば、蓋体の露出口から露出する第２コネクタの周囲の一部を覆う覆部によって、第１コネクタを引き抜く際に、第２コネクタ及びコネクタピンをぐらつかせないようにして、電子基板における第２コネクタ及び他の電子部品の損傷を防ぐことができる。更に、第２コネクタの周囲の一部を覆う覆部の覆われていない部分から覗く第２コネクタと接続する第１コネクタを掴みやすくでき、かつ、筐体から蓋体を着脱させる際に必要となる可撓性を損なわせない。
【図面の簡単な説明】
【００３２】
【図１】図１は、電子制御装置の斜視図である。
【図２】図２は、電子制御装置の斜視図である。
【図３】図３は、電子制御装置の断面図である。
【図４】図４は、通信ケーブル及びコネクタの断面図である。
【図５】図５は、蓋体の上面図である。
【図６】図６は、電子制御装置の正面図である。
【図７】図７は、電子制御装置の断面図である。
【図８】図８は、電子制御装置の斜視図である。
【図９】図９は、電子制御装置の斜視図である。
【図１０】図１０は、電子制御装置の断面図である。
【図１１】図１１は、蓋対の上面図である。
【図１２】図１２は、電子制御装置の正面図である。
【発明を実施するための形態】
【００３３】
＜代表の形態＞
以下、本発明の実施の形態である電子制御装置を図８から図１２に基づいて説明する。図８は、本実施の形態の電子制御装置１、及び、通信ケーブル６を示している。この電子制御装置１は、例えば、自動車などの車両に搭載され、エンジンやエアコン等の被制御対象を制御するＥＣＵ（Electronic Control Unit）として構成されている。電子制御装置１、及び、通信ケーブル６には、夫々、コネクタ４、５が備わっている。電子制御装置１が備えるコネクタ４へは通信ケーブル６の一端に備わるコネクタ５が接続され、通信ケーブル６の他端が被制御対象と接続されるようになっている。
【００３４】
以降、説明するにあたり、図中においては三次元の直交座標軸（ＸＹＺ）又は二次元の座標軸（ＸＹ）、（ＹＺ）を付し、適宜、この座標軸を用いて方向を示すこととする。これらの座標軸は電子制御装置１に対して相対固定される。説明の便宜上、Ｘ軸方向が奥行方向、Ｙ軸方向が左右方向、Ｚ軸方向が上下方向であるとするが、実際の電子制御装置１の搭載に際してはこれらの方向が入れ替わってもかまわない。また、通信ケーブル６が備えるコネクタ５を第１コネクタ５とし、電子制御装置１が備えるコネクタ４を第２コネクタ４とする。
（電子制御装置）
電子制御装置１は、筐体２、蓋体３、及び、電子基板７から構成される。
（筐体）
筐体２は、絶縁性を有する樹脂、又は、金属により成り、直方体の内部に空間を有する箱型であって、箱の１面である最も面積の小さい面に開口部１５を形成している。筐体２は、開口部１５から電子基板７を挿入して納める。筐体２の大きさは、電子基板７を略密接に覆う程度の大きさになっている。更に、筐体２は、開口部１５付近の側面であって対向する側面夫々に、筐体２を蓋体３により塞いだ際に、固定するための引掛部１２、１３を備える。電子基板７を略密接に覆うのは、電子制御装置１の外部からの衝撃を防ぎつつ小型化させるためである。
（電子基板）
電子基板７は、絶縁性を有する略矩形の板状体であり、第２コネクタ４、及び、他の電子部品９を両面に実装する。
（第２コネクタ）
第２コネクタ４は、複数のピンを備えたピンインサートと称されるコネクタであり、直方体の内部に空間を有する箱型であって、その箱の−Ｘ側の１面が開口している。第２コネクタ４は、複数のピンを備え、複数のピンは一端が電子基板７の端部に固定接続されるとともに、他端が第２コネクタ４の１面が開口している方向（−Ｘ側）へ向けて突出している。なお、複数のピンは、電子基板７に実装される電子部品が発生する制御信号などを、接続された第１コネクタ５と通信ケーブル６を介して、電子制御装置１の外部へ出力するとともに、通信ケーブル６を介して、外部から送信される制御信号などを入力する機能を備えている。
（蓋体）
蓋体３は、筐体２が形成する開口部１５を塞ぐ大きさの可撓性と絶縁性を有する樹脂により構成される。蓋体３は、筐体２を塞いだ状態で、電子基板が備える第２コネクタ４が筐体外側へ露出するように露出口１４を形成する。蓋体３は、露出口１４の周縁に設けられ、筐体３を塞いだ状態で、露出口１４から露出する第２コネクタＸ４の周囲の一部を覆う覆部１７を形成する。更に、蓋体３は、塞いだ状態で、筐体２の引掛部１２、１３へ係合する耳部１０、１１を引掛部１２、１３に対応する位置に備える。
（覆部）
覆部１７は、蓋体３が筐体２を塞いだ状態で、露出口１４から露出する第２コネクタ４の周囲のうち第２コネクタ４が電子基板７と固定される方向（−Ｚ側）とは逆方向（＋Ｚ側）を含む、電子基板７と固定される方向（−Ｚ側）以外の方向を覆う。
【００３５】
覆部１７は、露出口１４上底から覆部１７の上底までの幅は狭くなっているため、覆部１７のうち上側の上部覆部１７Ｕの上下幅は比較的狭くなる。
【００３６】
なぜならば、種々の部品が両面に実装され、更に、最も実装面からの高さが高い第２コネクタ４が片面に固定されている電子基板７を、図１０に示すように、筐体２により適切に保護しつつ全体として小型化させるように略密接に覆った状態で蓋体３により塞ぐため、図９に示すように、露出口１４及びコネクタ４の、蓋体３における外面の位置は、その上下中央よりも上側へズレた位置になってしまい上側覆部１７Ｕが比較的狭くなるからである。
【００３７】
一方で、覆部１７のうち、蓋体３に形成される露出口１４の左側の左側覆部１７Ｌ及び右側の右側覆部１７Ｒは、上側覆部１７Ｕよりも上下幅が比較的広くなっている。また、左側覆部１７及び右側覆部１７Ｒは、上側覆部１７Ｕと連続しており、上側覆部１７Ｕによって接続されている。
【００３８】
つまり、このような構造を採用することにより、覆部１７における比較的幅の狭い上側覆部１７Ｕの強度を、左右の比較的幅の広い左側覆部１７及び右側覆部１７Ｒによって補強することができる。
（通信ケーブル）
通信ケーブル６は、一端に第１コネクタ５を備えている。第１コネクタ５は、ソケットインサートと称されるコネクタであり、直方体を有する箱型であって、第２コネクタ４の空間に密接な状態で納まる大きさである。第１コネクタ５は、第２コネクタ４に納まった状態で、第２コネクタ４の複数のピンと嵌合する複数のホール（ピン穴）を形成している。なお、複数のホールは、複数のピンが出力する制御信号などを通信ケーブル６へ伝送するとともに、通信ケーブル６を介して送信される制御信号などをピンへ入力させる機能を備えている。
（電子制御装置の構造）
図９は、筐体２が電子基板７を納めた状態で、蓋体３によって開口部１５を塞ぐとともに、引掛部１２、１３へ蓋体３の耳部１０、１１を係合して固定した状態の電子制御装置１を示している。このように塞いだ状態にすると、電子基板７に実装された第２コネクタ４が、蓋体３の露出口１４から露出するので、蓋体３を筐体２へ装着した状態で、通信ケーブル６に備わった第１コネクタ５を電子基板７に実装される第２コネクタ４へ接続することができる。また、覆部１７が第２コネクタの周囲のうち電子基板７と固定される方向とは逆方向を含む、電子基板７と固定される方向以外の方向を覆うことができる。
【００３９】
図１０は、図９の電子制御装置１におけるＸＺ平面に沿ったＶＩＩ−ＶＩＩ位置での断面図である。この断面図によれば、電子制御装置１は、他の電子部品９と複数のピン８を備えた第２コネクタ４とを実装した電子基板７を内部に略密着状態に収納しつつ、開口部１５を蓋体３によって塞いだ状態で、蓋体３の露出口１４から第２コネクタ４が露出していることがわかる。
【００４０】
更に、蓋体３は、露出口１４から露出させた第２コネクタ４の覆部１７が第２コネクタの周囲のうち第２コネクタ４が電子基板７と固定される方向とは逆方向を覆っているのがわかる。
【００４１】
通信ケーブル６及びこれに備わる第１コネクタ４の構造は、図４に示すものと同様であるため、図４を用いて説明する。図４は、図９に示す通信ケーブル６及びこれに備わる第１コネクタ５におけるＸＺ平面に沿ったＩＶ-ＩＶ位置での断面図に相当する。図４によれば、第１コネクタ５は、直方体を有する箱型であって、第２コネクタ４に納まる際に、第２コネクタ４の複数のピン８と嵌合する複数のホール（ピン穴）１６を形成していることがわかる。
【００４２】
図１１は、図８の蓋体３の＋Ｚ側からみた上面図である。この上面図によれば、蓋体３は、筐体２の引掛部１２、１３へ係合する耳部１０、１１が蓋体３の横側（＋Ｙ側及び−Ｙ側）に備わっていることがわかる。
【００４３】
また、蓋体３は、筐体２を塞いだ際の外側面（−Ｘ側の面）が、露出口１４の幅よりも広い一定の範囲が台状に盛り上がった形状を成しており、覆部１７が形成されていない部分は、略平面を成していることがわかる。
【００４４】
図１２は、図８の電子制御装置１の−Ｘ側からみた正面図である。この正面図によれば、蓋体３の露出口１４上底から蓋体３の上底の幅は狭いため、その部分の上側覆部１７Ｕも狭くなっていることがわかる。一方で、蓋体３に形成される露出口１４の左右の覆部１７Ｌ，１７Ｒは、上側覆部１７Ｕの幅よりも広く、かつ、その狭い幅の上側覆部１７Ｕと連続していることがわかる。
【００４５】
蓋体３の覆部１７がこのような構造を採用しているため、電子制御装置１の第２コネクタ４に接続された第１コネクタ５を、人が乱暴に引き抜こうとしても、狭い部分の上側覆部１７Ｕが露出口１４から露出する第２コネクタ４を押さえ、更に、露出口１４の左右の覆部１７Ｌ，１７Ｒがその押さえを補強するため、第２コネクタ４及び複数のピンをぐらつかせないようにでき、電子基板７、第２コネクタ４及び他の電子部品９の損傷を防ぐことができる。
【００４６】
また、蓋体３の覆部１７が、第２コネクタ４の周囲を包囲するので外部からの衝撃を受けにくくすることができる。
【００４７】
また、第２コネクタ４の周囲の一部を覆う覆部１７の覆われていない部分（第２コネクタ４の−Ｚ側）から覗く第２コネクタ４と接続する第１コネクタ５を掴みやすくでき、かつ、筐体２から蓋体３を着脱させる際に必要となる可撓性を損なわせない。
【００４８】
また、覆部１７を露出口１４よりも大きくした台状に形成することによって、上底と下底の脇の面が斜めになり、樹脂により形成される覆部１７を含む蓋体３を、品質良く製造できる。つまり、そのような蓋体３の型に樹脂を流し込むと、覆部１７のその脇が斜めになっていることで、左右対称にうまく樹脂が流れ込みやすくなり、樹脂がムラ無くスピーディに形成される。
【００４９】
また、蓋体３において覆部１７を形成するので、電子基板７や筐体２を大型化させてコストが増加するのを抑制することができ、大型化による重量化を抑制することができる。
【００５０】
また、露出口１４と、露出口１４から露出している第２コネクタ４との間のスキを詰めて、筐体２と第２コネクタ４との固定が強くなって共振異音が発生するような構成を避けることができる。
【００５１】
＜変形例＞
以上、本発明の実施の形態について説明してきたが、この発明は上記実施の形態に限定されるものではなく様々な変形が可能である。以下では他の実施の形態について説明する。
【００５２】
＜変形例１＞
上記実施の形態における蓋体３に形成される覆部１７は、「蓋体３が筐体２を塞いだ状態で、露出口１４から露出する第２コネクタ４の周囲のうち第２コネクタ４が電子基板７と固定される方向とは逆方向を含む、電子基板７と固定される方向以外の方向を覆う」と説明したが、覆部１７は、露出口１４上底から覆部１７の上底までの狭い幅に覆部１７として上側覆部１７Ｕのみを形成しても良い。
【００５３】
この場合においても、電子制御装置１の第２コネクタ４に接続された第１コネクタ５を、人が乱暴に引き抜こうとしても、上側覆部１７Ｕが露出口１４から露出する第２コネクタ４を押さえるため、第２コネクタ４及び複数のピンをぐらつかせないようにでき、電子基板７における電子基板７、第２コネクタ４及び他の電子部品９の損傷を防ぐことができる。
【００５４】
なお、本件発明の効果を奏する限りにおいて上記変形例を含む種々のものが考えられる。
【符号の説明】
【００５５】
１    電子制御装置
２    筐体
３    蓋体
４    コネクタ
５    コネクタ
６    通信ケーブル
７    電子基板
８    ピン
９    電子部品
１０    耳部
１２    引掛部
１４    露出口
１５    開口部
１６    ホール
１７    覆部
【図１】
0005554584.tif 000002
【図２】
0005554584.tif 000003
【図３】
0005554584.tif 000004
【図４】
0005554584.tif 000005
【図５】
0005554584.tif 000006
【図６】
0005554584.tif 000007
【図７】
0005554584.tif 000008
【図８】
0005554584.tif 000009
【図９】
0005554584.tif 000010
【図１０】
0005554584.tif 000011
【図１１】
0005554584.tif 000012
【図１２】
0005554584.tif 000013